(57)【要約】  本発明は、ナフサおよび留出物の原料油流れから硫黄を除去する改良された水素化処理プロセスに関する。この改良プロセスは、水素化処理域と、酸性ガス除去処理域と、プロセスに利用する水素の濃度を増大するための合計サイクル時間が約３０秒未満の圧力スイング吸着処理域とを利用する。【選択図】図１
2008528732.tif 000002
【特許請求の範囲】
【請求項１】
炭化水素原料から硫黄および他のへテロ原子を除去する方法であって、
ａ）前記炭化水素原料を、水素化処理域において、水素化処理条件下で水素および触媒的に有効な量の水素化処理触媒と接触させて、液相と、水素および軽質の炭化水素を含む蒸気相からなる水素化処理生成物を得る工程；
ｂ）前記水素化処理生成物から、前記液相および前記蒸気相を分離する工程；
ｃ）前記蒸気相から、急速サイクル圧力スイング吸着装置において軽質の炭化水素を除去して、前記蒸気相よりも高い水素の容積％濃度を有する精製再循環ガスを生成する工程であって、
前記急速サイクル圧力スイング吸着装置は、複数の吸着剤床を含み、３０秒未満の合計サイクル時間と、床厚さ１フィート当たり５インチ水頭より大きい各吸着剤床内の圧力降下を有する工程；および
ｄ）前記精製再循環ガスの少なくとも一部を前記水素化処理域に再循環する工程
を含むことを特徴とする方法。
【請求項２】
前記炭化水素原料は、ナフサ沸点範囲の原料、ケロシン沸点範囲の原料および留出物沸点範囲の原料からなる群から選択されることを特徴とする請求項１に記載の方法。
【請求項３】
前記炭化水素原料は、直留ナフサ、接触分解ナフサ、コーカーナフサ、水素化分解装置ナフサおよび残油水素化処理装置ナフサからなる群から選択されるナフサ沸点範囲の原料であることを特徴とする請求項２に記載の方法。
【請求項４】
前記炭化水素原料は、流動接触分解装置（ＦＣＣ）から生成されるサイクルオイル、常圧および減圧軽油、常圧および減圧残留物、熱分解ガソリン、フィッシャー−トロプシュ液体およびワックス、潤滑油並びに原油からなる群から選択される留出物沸点範囲および更に高い沸点範囲の原料であることを特徴とする請求項２に記載の方法。
【請求項５】
前記急速サイクル圧力スイング吸着の合計サイクル時間は、１５秒未満であることを特徴とする請求項２に記載の方法。
【請求項６】
前記合計サイクル時間は１０秒未満であり、前記圧力降下は吸着剤床厚さ１フィート当たり１０インチ水頭より大きいことを特徴とする請求項５に記載の方法。
【請求項７】
前記合計サイクル時間は、５秒未満であることを特徴とする請求項６に記載の方法。
【請求項８】
前記圧力降下は、吸着剤床厚さ１フィート当たり２０インチ水頭より大きいことを特徴とする請求項７に記載の方法。
【請求項９】
前記合計サイクル時間は１０秒未満であり、前記圧力降下は吸着剤床厚さ１フィート当たり１０インチ水頭より大きいことを特徴とする請求項１に記載の方法。
【請求項１０】
前記サイクル時間は５秒未満であり、前記圧力降下は吸着剤床厚さ１フィート当たり２０インチ水頭より大きいことを特徴とする請求項９に記載の方法。
【請求項１１】
急速サイクル圧力スイング吸着装置において前記蒸気相から軽質の炭化水素を除去するに先立って、前記蒸気相から、硫化水素およびアンモニアを塩基性洗浄溶液によって除去することを特徴とする請求項１に記載の方法。
【請求項１２】
前記合計サイクル時間は１０秒未満であり、前記圧力降下は吸着剤床厚さ１フィート当たり１０インチ水頭より大きいことを特徴とする請求項１１に記載の方法。
【請求項１３】
前記合計サイクル時間は５秒未満であり、前記圧力降下は吸着剤床厚さ１フィート当たり２０インチ水頭より大きいことを特徴とする請求項１２に記載の方法。
【請求項１４】
急速サイクル圧力スイング吸着装置において、水素含有メークアップガスから軽質の炭化水素を除去して、前記水素含有メークアップガスよりも高い水素の容積％濃度を有する精製メークアップガスを生成し、
前記急速サイクル圧力スイング吸着装置は、複数の吸着剤床を含み、３０秒未満の合計サイクル時間と、床厚さ１フィート当たり５インチ水頭より大きい各吸着剤床内の圧力降下を有し、
前記水素の少なくとも一部は、前記精製メークアップガスの少なくとも一部からなる
ことを特徴とする請求項１に記載の方法。
【請求項１５】
前記炭化水素原料は、ナフサ沸点範囲の原料、ケロシン沸点範囲の原料および留出物沸点範囲の原料からなる群から選択されることを特徴とする請求項１４に記載の方法。
【請求項１６】
前記急速サイクル圧力スイング吸着の合計サイクル時間は１０秒未満であり、各吸着床における前記圧力降下は床厚さ１フィート当たり１０インチ水頭より大きいことを特徴とする請求項１５に記載の方法。
【請求項１７】
前記合計サイクル時間は５秒未満であり、前記圧力降下は吸着剤床厚さ１フィート当たり２０インチ水頭より大きいことを特徴とする請求項１６に記載の方法。
【請求項１８】
炭化水素原料から硫黄および他のへテロ原子を除去する方法であって、
ａ）前記炭化水素原料を、水素化処理域において、水素化処理条件下で水素および触媒的に有効な量の水素化処理触媒と接触させて、液相と、水素、硫化水素および軽質の炭化水素を含む蒸気相からなる水素化処理生成物を得る工程であって、
前記水素の少なくとも一部は、急速サイクル圧力スイング吸着装置において水素含有メークアップガスから軽質の炭化水素を除去することによって生成される精製メークアップガスであり、
前記急速サイクル圧力スイング吸着装置は、複数の吸着剤床を含み、３０秒未満の合計サイクル時間と、床厚さ１フィート当たり５インチ水頭より大きい各吸着剤床内の圧力降下を有し、
前記精製メークアップガスは、前記水素含有メークアップガスよりも高い水素の容積％濃度を有する工程；
ｂ）前記水素化処理生成物から、前記液相および前記蒸気相を分離する工程；および
ｃ）前記蒸気相の少なくとも一部を前記水素化処理域に再循環する工程
を含むことを特徴とする方法。
【請求項１９】
前記炭化水素原料は、ナフサ沸点範囲の原料、ケロシン沸点範囲の原料および留出物沸点範囲の原料からなる群から選択されることを特徴とする請求項１５に記載の方法。
【請求項２０】
前記炭化水素原料は、直留ナフサ、接触分解ナフサ、コーカーナフサ、水素化分解装置ナフサおよび残油水素化処理装置ナフサからなる群から選択されるナフサ沸点範囲の原料であることを特徴とする請求項１６に記載の方法。
【請求項２１】
前記炭化水素原料が、流動接触分解装置（ＦＣＣ）から生成されるサイクルオイル、常圧および減圧軽油、常圧および減圧残留物、熱分解ガソリン、フィッシャー−トロプシュ液体およびワックス、潤滑油並びに原油からなる群から選択される留出物沸点範囲および更に高い沸点範囲の原料であることを特徴とする請求項１６に記載の方法。
【請求項２２】
前記急速サイクル圧力スイング吸着の合計サイクル時間は、１５秒未満であることを特徴とする請求項１６に記載の方法。
【請求項２３】
前記合計サイクル時間は１０秒未満であり、各吸着床の前記圧力降下は床厚さ１フィート当たり１０インチ水頭より大きいことを特徴とする請求項１９に記載の方法。
【請求項２４】
前記合計サイクル時間は、５秒未満であることを特徴とする請求項２０に記載の方法。
【請求項２５】
前記圧力降下は、吸着剤床厚さ１フィート当たり２０インチ水頭より大きいことを特徴とする請求項２１に記載の方法。
【請求項２６】
前記サイクル時間は１０秒未満であり、前記圧力降下は吸着剤床厚さ１フィート当たり１０インチ水頭より大きいことを特徴とする請求項２２に記載の方法。
【請求項２７】
前記サイクル時間は５秒未満であり、前記圧力降下は吸着剤床厚さ１フィート当たり２０インチ水頭より大きいことを特徴とする請求項２３に記載の方法。
【請求項２８】
急速サイクル圧力スイング吸着装置において前記蒸気相から軽質の炭化水素を除去するに先立って、前記蒸気相から、硫化水素およびアンモニアを塩基性洗浄溶液によって除去することを特徴とする請求項１８に記載の方法。
【請求項２９】
前記合計サイクル時間は１０秒未満であり、前記圧力降下は吸着剤床厚さ１フィート当たり１０インチ水頭より大きいことを特徴とする請求項２８に記載の方法。
【請求項３０】
前記合計サイクル時間は５秒未満であり、前記圧力降下は吸着剤床厚さ１フィート当たり２０インチ水頭より大きいことを特徴とする請求項２９に記載の方法。
【請求項３１】
前記水素化処理触媒は、コバルト、ニッケル、モリブデン、白金、タングステン、アルミナ、シリカ、シリカ−アルミナ、ゼオライトおよびモレキュラーシーブからなる群から選択される少なくとも１つを含むことを特徴とする請求項６に記載の方法。
【請求項３２】
前記水素化処理触媒は、コバルト、ニッケル、モリブデン、白金、タングステン、アルミナ、シリカ、シリカ−アルミナ、ゼオライトおよびモレキュラーシーブからなる群から選択される少なくとも１つを含むことを特徴とする請求項１６に記載の方法。
【請求項３３】
前記水素化処理触媒は、コバルト、ニッケル、モリブデン、白金、タングステン、アルミナ、シリカ、シリカ−アルミナ、ゼオライトおよびモレキュラーシーブからなる群から選択される少なくとも１つを含むことを特徴とする請求項２３に記載の方法。
【請求項３４】
前記液相を燃料生成物にブレンドすることを特徴とする請求項６に記載の方法。
【請求項３５】
前記液相を燃料生成物にブレンドすることを特徴とする請求項１６に記載の方法。
【請求項３６】
前記液相を燃料生成物にブレンドすることを特徴とする請求項２３に記載の方法。
【発明の詳細な説明】
【技術分野】
【０００１】
本発明は、ナフサおよび留出物の原料油流れから硫黄を除去する改良された水素化処理方法に関する。この改良方法は、水素化処理域と、酸性ガス除去処理域と、プロセスに使用する水素の濃度を増大するための、合計サイクル時間が約１分未満の圧力スイング吸着処理域とを利用する。
【背景技術】
【０００２】
水素化処理プロセスは、ナフサ、ケロシン、ディーゼル燃料、軽油、減圧軽油（ＶＧＯ）および抜頭原油等の炭化水素のストリームから硫黄および窒素のようなヘテロ原子を除去するために製油所において用いられる。水素化処理の運転条件の厳しさは、ヘテロ原子の所要の低濃度に対して、所要の生成物の収率を均衡させるように選定される。米国および諸外国における規制圧力の増大の結果として、非常に硫黄濃度の低い炭化水素の生成物を形成するために、水素化処理プロセスがますます厳しくおよび／または選択的になる傾向がもたらされている。
【０００３】
水素化処理は、一般的に、炭化水素原料油を、水素化処理反応槽または処理域において、水素含有処理ガスが存在する中で、高温高圧の水素化処理条件の下で適切な水素化処理触媒と接触させることによって行われる。これによって、所要の硫黄濃度の生成物が生産される。運転条件および使用する水素化処理触媒が、結果として得られる水素化処理生成物の品質を左右することになる。
【０００４】
水素化処理された生成物中の未反応の水素を少なくとも一部分離して再循環し、新鮮な処理ガス（メークアップガスとしても知られる）および炭化水素原料と結合し得るようにすることは、従来から行われており、水素化処理および他の形式の水素処理法の当業者にはよく知られているところである。この分離は、例えば、水素化処理リアクターの下流側のフラッシュドラムまたは分離槽において行われる。再循環のストリームにおける水素の純度（濃度）の向上も望まれる。従って、当技術分野の目標は、水素利用効率の向上を、エネルギー消費をほとんど付加することなく、かつ、水素化処理機器のメンテナンスおよび運転に甚だしく有害な影響を及ぼすことなく実現することにあった。また、水素の利用効率を高めることによって、既存の機器を、原料油のスループットを増大させてより高い生成物の収率を得るように使用できることも認められてきた。水素の利用効率を高めることの更なる利点は、例えば水素プラントまたは低温装置によって用意しなければならないメークアップ水素の量の節減である。
【０００５】
処理すべき原料油の種類、生成物の品質要求、収率、および特定触媒のサイクル寿命に対する変換量が、水素化処理装置の運転に要求される水素分圧を決定し、装置の運転圧力および処理ガスの純度が、水素化処理装置の水素分圧を決定する。下流側の水素化処理装置セパレータまたはフラッシュドラムから出るフラッシュガスの成分の制御は限定されているので、再循環フラッシュガスの水素成分が、水素化処理装置リアクターに最終的に供給される水素分圧を制限する。再循環を用いると、再循環ガスのストリームにおける水素分圧が比較的低いので、リアクターに流入する水素ガス成分の分圧が実際上低下し、それによって、生成物の量および品質、触媒のサイクル寿命等に関して運転性能にマイナスの影響を及ぼす。この性能低下を補正するために、水素化処理リアクターの運転圧力を高めなければならないが、それは運転上の観点からは望ましくない場合がある。逆に、水素ガス回収率と水素濃度とを向上させることによって、再循環ガスのストリームの水素分圧が改善されるが、これは、これらのパラメータによって測定される水素化処理プロセス装置の全体的な性能を改善する結果をもたらす。
【０００６】
従来のいくつかの方法は、再循環ガスのストリームにおける水素濃度を増大することによって、水素化処理装置の水素利用効率の改善を試みることを提案してきた。このような方法は、一般的に、相当の追加的な機器コストをもたらし、および／または、温度および圧力のような運転条件のかなりの変更を必要とする。これは、通常、資本コストおよび運転コストの増大という結果を招く。
【０００７】
水素処理装置の再循環ストリームの水素純度を改善するために採用されてきた１つの方法は、従来型の圧力スイング吸着である。例えば１９８４年７月３日出願のルマス・クレスト社（Ｌｕｍｍｕｓ  Ｃｒｅｓｔ  Ｉｎｃ．）への特許文献１を参照されたい。しかし、ＰＳＡ装置を組み込むためには、リアクター流出ガスストリームの圧力を約２，５００ｐｓｉｇ（１７５．８ｋｇ／ｃｍ２）から約３５０ｐｓｉｇ（２４．６ｋｇ／ｃｍ２）に低下させなければならない。再循環水素ストリームの純度は約９９モル％に高めることができるが、再循環されるガスのストリームは、水素処理法の原料ストリームに導入する前に２，５００ｐｓｉｇ（１７５．８ｋｇ／ｃｍ２）に戻すための圧縮操作にかけなければならない。これに伴う結果は、従来型ＰＳＡ装置を用いる場合に必要になる大型コンプレッサーの追加による資本コスト、運転コストおよびメンテナンスコストの大幅な増大である。
【０００８】
マクリーン（ＭａｃＬｅａｎ）への特許文献２に記載される別の方法は、１５０気圧までの圧力降下を伴う膜を用いるが、これも大幅な資本投資と運転コストとの負担を強いるものである。
【０００９】
【特許文献１】米国特許第４，４５７，３８４号明細書
【特許文献２】米国特許第４，３６２，６１３号明細書
【特許文献３】米国特許第６，６０７，５８４号明細書
【特許文献４】米国特許第６，４０６，５２３号明細書
【特許文献５】米国特許第６，４５１，０９５号明細書
【特許文献６】米国特許第６，４８８，７４７号明細書
【特許文献７】米国特許第６，５３３，８４６号明細書
【特許文献８】米国特許第６，５６５，６３５号明細書
【非特許文献１】Ｄ．Ｍ．ラスヴェン（Ｄ．Ｍ．Ｒｕｔｈｖｅｎ）、Ｓ．ファルク（Ｓ．Ｆａｒｏｕｑ）およびＫ．Ｓ．クネーベル（Ｋ．Ｓ．Ｋｎａｅｂｅｌ）著、『圧力スイング吸着（Ｐｒｅｓｓｕｒｅ  Ｓｗｉｎｇ  Ａｄｓｏｒｐｔｉｏｎ）』、ＶＣＨ出版（ＶＣＨ  Ｐｕｂｌｉｓｈｅｒｓ）、１９９４年
【非特許文献２】Ｄ．Ｍ．ラスヴェン（Ｄ．Ｍ．Ｒｕｔｈｖｅｎ）およびＣ．セーロン（Ｃ．Ｔｈａｅｒｏｎ）著「平行通路吸収剤接触器の性能（Ｐｅｒｆｏｒｍａｎｃｅ  ｏｆ  ａ  Ｐａｒａｌｌｅｌ  Ｐａｓｓａｇｅ  Ａｂｓｏｒｂｅｎｔ  Ｃｏｎｔａｃｔｏｒ）」、『分離および精製技術（Ｓｅｐａｒａｔｉｏｎ  ａｎｄ  Ｐｕｒｉｆｉｃａｔｉｏｎ  Ｔｅｃｈｎｏｌｏｇｙ）』誌、第１２巻（１９９７年）、４３−６０頁
【発明の開示】
【発明が解決しようとする課題】
【００１０】
従って、既存の水素化処理装置と適合する手段によって、水素の利用効率を高めるための改良方法に対する要求が存在する。この方法は、水素化処理装置のスループットと、資本費用および運転費用とを含むシステムの全体的な経済性に負の影響を与えないことが望まれる。後者の運転費用にはメンテナンス並びにエネルギー消費が含まれる。
【００１１】
換言すれば、種々の水素化処理方法が商業的に実用化されているが、より効率的に、かつ更に高いリアクタースループットを実現するように稼動させ得る改良された水素化処理方法に対する要求が、当分野にはなお存在している。
【課題を解決するための手段】
【００１２】
本発明は、１つの実施態様において、炭化水素原料から硫黄および他のへテロ原子を除去するための方法であって、
ａ）炭化水素原料を、水素化処理域において、水素化処理条件の下で水素および触媒的に有効な量の水素化処理触媒と接触させ、それによって、液相と、水素および軽質の炭化水素を含む蒸気相とからなる水素化処理生成物を得る工程と、
ｂ）水素化処理生成物から、液相および蒸気相を分離する工程と、
ｃ）急速サイクル圧力スイング吸着装置において蒸気相から軽質の炭化水素を除去して、蒸気相よりも高い水素の容積％濃度を有する精製再循環ガスを生成する工程であり、この急速サイクル圧力スイング吸着装置は、複数の吸着剤床を含み、約３０秒未満の合計サイクル時間と、床厚さ１フィート当たり約５インチ水頭より大きい各吸着剤床内の圧力降下とを有する工程と、
ｄ）精製再循環ガスの少なくとも一部を水素化処理域に再循環する工程と、
を含む方法を含む。
【００１３】
別の実施態様においては、急速サイクル圧力スイング吸着装置において、水素を含有するメークアップガスから軽質の炭化水素を除去して、水素含有メークアップガスよりも高い水素の容積％濃度を有する精製メークアップガスを生成し、水素化処理域において利用される水素を、精製メークアップガスの少なくとも一部から構成する。この急速サイクル圧力スイング吸着装置は、複数の吸着剤床を含み、約３０秒未満の合計サイクル時間と、床厚さ１フィート当たり約５インチ水頭より大きい各吸着剤床内の圧力降下とを有する。
【００１４】
更に別の実施態様において、本発明は、炭化水素原料から硫黄および他のへテロ原子を除去するための方法であって、
ａ）炭化水素原料を、水素化処理域において、水素化処理条件の下で水素および触媒的に有効な量の水素化処理触媒と接触させ、それによって、液相と、水素、硫化水素および軽質の炭化水素を含む蒸気相とからなる水素化処理生成物を得る工程であり、
水素の少なくとも一部が、急速サイクル圧力スイング吸着装置において水素含有メークアップガスから軽質の炭化水素を除去することによって生成される精製メークアップガスであり、この急速サイクル圧力スイング吸着装置は、複数の吸着剤床を含み、約３０秒未満の合計サイクル時間と、床厚さ１フィート当たり約５インチ水頭より大きい各吸着剤床内の圧力降下とを有し、かつ
精製メークアップガスが水素含有メークアップガスよりも高い水素の容積％濃度を有する工程と、
ｂ）水素化処理生成物から、液相および蒸気相を分離する工程と、
ｃ）蒸気相の少なくとも一部を水素化処理域に再循環する工程と、
を含む方法を含む。
【００１５】
１つの好ましい実施態様においては、急速サイクル圧力スイング吸着プロセスの合計サイクル時間が約１０秒未満であり、圧力降下が吸着剤床厚さ１フィート当たり約１０インチ水頭より大きい。
【００１６】
更に別の好ましい実施態様においては、急速サイクル圧力スイング吸着プロセスの合計サイクル時間が約５秒未満であり、圧力降下が吸着剤床厚さ１フィート当たり約２０インチ水頭より大きい。
【００１７】
更に別の好ましい実施態様においては、水素化処理触媒が、コバルト、ニッケル、タングステン、アルミナ、シリカ、シリカ−アルミナ、ゼオライトおよびモレキュラーシーブの内の少なくとも１つを含む。
【発明を実施するための最良の形態】
【００１８】
１つの実施態様においては、炭化水素原料を水素化処理する方法が提供される。炭化水素原料の非限定的な例として、ナフサおよび／または留出物沸点範囲の炭化水素原料が含まれる。このようなナフサの原料油流れの非限定的例は、常圧において約５０°Ｆ〜約４５０°Ｆ（約１０〜約２３２℃）の沸点範囲の成分を含むものである。ナフサ原料油は、一般的に、流動接触分解装置ナフサ（ＦＣＣ接触分解ナフサ）、コーカーナフサ、水素化分解装置ナフサ、残油水素化処理装置ナフサ、脱ブタン化天然ガソリン（ＤＮＧ）、およびナフサ沸点範囲のストリームを生成し得る他の原料源からのガソリンブレンド成分のような１種類以上の分解ナフサを含む。他の実施態様においては、原料油流れを、約３００〜約５００°Ｆ（約１４９〜約２６０℃）の沸点範囲のケロシンおよびジェット燃料留分から構成することができる。更に別の実施態様においては、約４５０〜約８００°Ｆ（約２３２〜約４２７℃）の沸点範囲の留出物原料油流れ、例えば、常圧軽油、減圧軽油、脱歴減圧および常圧残留物、マイルド分解残留油、コーカー留出物、直留留出物、溶剤脱歴油、熱分解派生油、高沸点合成油、サイクルオイルおよびキャットクラッカー留出物を水素化処理できる。好ましい水素化処理の原料油は、少なくとも５０重量％の成分の沸点範囲、更に通常は少なくとも７５重量％の成分の沸点範囲が約６００°Ｆ（３１６℃）と１０００°Ｆ（５３８℃）との間にある軽油または他の炭化水素留分である。「炭化水素原料」という用語は、製油所、化学プラントまたは他の工業プラントの、炭化水素からなる１つ以上のストリームを包含する。この場合、このストリームは、例えば硫黄、水、アンモニアおよび金属のような、但しこれには限定されない非炭化水素の汚染物質が低濃度（５重量％未満）で炭化水素原料中に存在する可能性があるストリームを含む。
【００１９】
添付の図１は、急速サイクル圧力スイング吸着（Ｒａｐｉｄ  Ｃｙｃｌｅ  Ｐｒｅｓｓｕｒｅ  Ｓｗｉｎｇ  Ａｄｓｏｒｐｔｉｏｎ：「ＲＣＰＳＡ」）が、単段の水素化処理装置の水素含有再循環ガスのストリームに用いられる実施態様を示す。処理される炭化水素原料は、ライン１０を経由して水素化処理リアクターＨＴに導かれ、そのリアクターにおいて、ライン１２０からの精製再循環ガスストリーム、ライン１１０からの水素含有メークアップガスおよび水素化処理触媒と水素化処理条件において接触する。ここで用いる「水素化処理」という用語は、主として硫黄および窒素のようなヘテロ原子の除去と芳香族のある程度の水素化とに対して活性を有する適切な触媒の存在の下で、水素含有処理ガスを使用するプロセスを言う。適切な水素化処理触媒は、選択された原料を触媒転化条件の下で触媒水素化処理するに有効な触媒であり、アルミナ、シリカその他同類のような高表面積の担体材料上に担持された、少なくとも１つの第ＶＩＩＩ族の金属、好ましくは鉄、コバルトおよびニッケル、更に好ましくはコバルトおよび／またはニッケルと、少なくとも１つの第ＶＩ族の金属、好ましくはモリブデンおよびタングステンとからなる触媒が含まれる。選択される原料に応じて、ゼオライト含有触媒、並びに、パラジウムおよび白金から選択される貴金属を含む貴金属含有触媒が適している。１つの実施態様においては、単一の反応槽の中で１種類以上の水素化処理触媒が用いられる。第ＶＩＩＩ族の金属は、通常、約２〜約２０重量％、好ましくは約４〜約１２重量％の範囲の量で存在する。第ＶＩ族の金属は、通常は約１〜約２５重量％、好ましくは約２〜約２５重量％の範囲の量で存在することになろう。水素化処理触媒材料の非限定的な例として、コバルト、ニッケル、モリブデン、白金、タングステン、アルミナ、シリカ、シリカ−アルミナ、ゼオライト、またはモレキュラーシーブがある。
【００２０】
前記のように、典型的な水素化処理温度は約４００°Ｆ（２０４℃）〜約９００°Ｆ（４８２℃）の範囲であり、圧力は、約５００〜約２５００ｐｓｉｇ（約３．５〜約１７．３ＭＰａ）、好ましくは約５００〜約２０００ｐｓｉｇ（約３．５〜約１３．８ＭＰａ）であり、原料油流れの液空間速度は約０．１ｈｒ−１〜約１０ｈｒ−１である。
【００２１】
水素化処理リアクターＨＴから流出する水素化処理装置生成流出物２０は、分離処理域Ｓに導かれ、好ましくは約３００（１４９℃）〜約８００°Ｆ（４２６℃）の温度で操作されて、水素、硫化水素および軽質の炭化水素化合物を含む第１の蒸気相のストリームと、原料油流れよりも硫黄の含有濃度が大幅に低い液相の生成物ストリームとを生成する。液相の生成物ストリームはライン７０を経由して集められる。「軽質の炭化水素」という用語は、重量において約１〜約５個の炭素原子の炭化水素化合物（即ちＣ１〜Ｃ５重量炭化水素化合物）からなる炭化水素の混合体を意味する。第１の蒸気相ストリームは、ライン３０を経由して酸性ガス洗浄処理域ＡＳに導かれ、硫化水素のようなヘテロ原子の化学種の濃度を低減して洗浄された蒸気ストリームを生成する。この洗浄された蒸気ストリームは、一般的に、約４０容積％〜約８０容積％の水素を含み、その残りは主として軽質の炭化水素である。酸性ガス洗浄処理域ＡＳにおいては、蒸気ストリームから酸性ガス好ましくは硫化水素を所要レベルで吸収し得る任意の適切な塩基性溶液を用いることができる。このような塩基性溶液の非限定的な例は、アミン、好ましくはジエタノールアミン、モノエタノールアミンその他同類のものである。ジエタノールアミンがより好ましい。硫化水素の少なくとも一部、好ましくはほぼすべてを吸収したＨ２Ｓリッチな洗浄溶液は、ライン４０を経由して再生処理域ＲＥＧに導かれ、そこで、硫化水素のほぼすべてが、ストリッピング媒体好ましくは水蒸気によって溶液から放散除去される。Ｈ２Ｓリッチなストリームはライン５０を経由して再生装置ＲＥＧから流出し、通例はクラウス（Ｃｌａｕｓ）プラントのような硫黄回収プラントに送られることになる。Ｈ２Ｓリーンな洗浄溶液は、ライン６０を経由して酸性ガス洗浄処理域ＡＳに再循環される。
【００２２】
洗浄されて得られた、いまや硫化水素をほとんど含まない蒸気ストリームは、酸性ガス洗浄処理域ＡＳから、ライン８０を経由して急速サイクル圧力スイング吸着装置（ＲＣＰＳＡ）に導かれ、そのＲＣＰＳＡ装置において軽質の炭化水素が除去される。ＲＣＰＳＡの設計に応じて、ＣＯ２、水およびアンモニアのような、但しこれには限定されない他の汚染物質をも原料から除去できる。洗浄された蒸気ストリームの一部は、もし望ましければ、ライン９０を経由してＲＣＰＳＡ装置をバイパスさせてもよい。
【００２３】
軽質の炭化水素および汚染物質からなるテールガスのストリームはライン１００を経由してＲＣＰＳＡ処理域から排除される。生成される精製再循環ガスのストリーム１２０は、ＲＣＰＳＡ装置に流入する洗浄された蒸気ストリームよりも容積ベースで高濃度の水素を含んでいる。即ち、この適用例においては、ＲＣＰＳＡから流出する精製再循環ガスストリームの水素含有量を、ＲＣＰＳＡへの流入ストリームよりも、容積％で、好ましくは少なくとも１０％、より好ましくは少なくとも２０％、更に好ましくは少なくとも３０％高くすることができる。精製再循環ガスのストリームは、ライン９０を経由してＲＣＰＳＡ装置を選択的にバイパスした洗浄蒸気ストリームの任意の部分と合流させることができる。精製再循環ガスのストリームは、更に、ライン１１０を経由して流入する水素含有メークアップガスおよびライン１０から流入する炭化水素原料と合流して、水素化処理リアクターＨＴに導入するために結合される。
【００２４】
添付の図２は、ＲＣＰＳＡが、単段の水素化処理装置の水素含有メークアップガスストリームにおいて適用される別の実施態様を示す。この場合は、水素含有メークアップストリームが、その水素濃度を増大させるため、および／または、特定の汚染物質を除去するために、ＲＣＰＳＡ装置において処理される。ＲＣＰＳＡ装置の流入側に導かれる水素含有メークアップストリームは、製油所の外側から、或いは、水素を副生品としてまたは主生成物として発生する製油所内部の１つ以上のプロセス装置から導くことができる。このようなプロセス装置の非限定的な例として改質装置または水素プラントがある。図２のすべての要素は図１と同じ機能を有するが、図２においては、ＲＣＰＳＡ装置が、図１のように酸性ガス洗浄処理域ＡＳの下流側の再循環ストリームに設けられていない点が異なっている。その代わりに、図２の実施態様に示すように、洗浄された蒸気ストリーム８０は戻されて、ライン１３０からの水素含有精製メークアップガスストリームと、ライン１０から流入する炭化水素原料とに結合される。
【００２５】
図２について続けると、流入する水素含有メークアップストリーム１１０は急速サイクル圧力スイング吸着装置（ＲＣＰＳＡ）を通過し、この装置において軽質の炭化水素および汚染物質がライン１００から除去される。生成された精製メークアップガスストリーム１３０は、ＲＣＰＳＡ装置の流入側に流入する水素含有メークアップストリームよりも高い水素濃度を有するであろう。即ち、ＲＣＰＳＡから流出する精製メークアップガスストリームの水素含有量は、ＲＣＰＳＡの流入側への水素含有メークアップストリームよりも、容積％で、好ましくは少なくとも１０％、より好ましくは少なくとも２０％高くすることができる。しかし、水素純度の増大は、処理されるストリームの純度に依存していることに留意しなければならない。多くの水素含有メークアップガスシステムは、多くの場合高い水素純度を有しており、８０〜９５容積％の高純度であることが多い。従って、メークアップガスのＲＣＰＳＡ処理は、高い水素純度が必要な場合に、水素純度における増大が１０％未満である場合に有利になる可能性がある。もし望ましい場合は、流入する水素含有メークアップストリームの一部を、ＲＣＰＳＡ装置をバイパスさせて、ライン１４０を経由して水素化処理装置ＨＴに直接導くことも可能である。
【００２６】
別の実施態様においては、単段の水素化処理装置に２つのＲＣＰＳＡ装置が設けられる。この場合、１つのＲＣＰＳＡ装置が、図１にＲＣＰＳＡとして示すように、水素化処理装置の再循環ガスストリーム（即ち洗浄された蒸気ストリーム）の少なくとも一部を精製するように設けられ、１つのＲＣＰＳＡ装置が、図２にＲＣＰＳＡとして示すように、水素化処理装置に流入する水素含有メークアップガスを精製するように設けられる。更に別の実施態様においては、ＲＣＰＳＡを２段式の水素化処理装置に適用することができる。この実施態様においては、ＲＣＰＳＡ装置を、第１段の水素化処理リアクターへの水素含有メークアップガスストリーム、または、第２段の水素化処理リアクターへの水素含有メークアップガスストリーム、または、第１段の水素化処理リアクターに再循環される洗浄された蒸気ストリーム、または、第２段の水素化処理リアクターに再循環される洗浄された蒸気ストリームに配置することができる。他の実施態様においては、これら４つのストリームを任意に組合せて、ストリームの純度および水素濃度の必要度並びに経済性に応じて、ＲＣＰＳＡプロセスにかけることができる。
【００２７】
従来型圧力スイング吸着（「従来型ＰＳＡ」）においては、ガスの混合体が、加圧されて、一定時間固体収着剤の第１床の上に導かれる。この固体収着剤は、通常、ガスストリームから除去されるべき汚染物質と見做される１種類以上の成分に対して選択的または相対的に選択的である。２種類以上の汚染物質を同時に除去することも可能であるが、便宜上、除去されるべき１つの成分または複数の成分を、単に単数で汚染物質と呼称する。ガスの混合体は、第１槽内の第１吸着床の上を通過し、汚染物質が吸着床に収着され、その濃度が激減して吸着床から出て行く。所定時間の後、或いは代替的に汚染物質の破過が観測されると、ガスの混合体の流れは、精製継続のため第２槽内の第２の吸着床に切り換えられる。第２床が吸着運転されている間、第１吸着床から、収着された汚染物質が、減圧することによって除去される。この減圧操作は、通常、汚染物質を脱着するためにガスの逆の流れを伴う。槽内の圧力が減少するにつれて、吸着床上に先に吸着された汚染物質はテールガス装置の中に漸次脱着されていく。このテールガス装置は、下流側の装置に対する圧力変動を最小化するように設計された制御システムと共に、大型のテールガスドラムを含んでいる。汚染物質は、何らかの適切な方法でテールガス装置から集めて、更に処理または的確に処分できる。脱着が完了すると収着剤床を、不活性ガスのストリーム、例えば窒素またはプロセスガスの精製ストリームでパージするとよい。高温度のパージガスストリームを用いると、パージが簡単になる。
【００２８】
例えば第２床において破過が生じた後、かつ、第１床が再生されて吸着運転の準備がなされた後、ガスの混合体の流れは第２床から第１床に切り換えられ、第２床が再生される。合計サイクル時間は、ガスの混合体が最初に第１サイクルにおいて第１床に導かれる時点から、その直後に続くサイクルにおいて、即ち第１床のただ１回の再生後に、ガスの混合体が最初に第１床に導かれる時点までの時間の長さである。第２槽に加えて、第３、第４、第５等の槽を用いることは、吸着時間は短いが脱着時間は長い場合に必要になることがあるが、これは、サイクル時間を延ばすのに役立つことになろう。
【００２９】
従って、１つの形態においては、圧力スイングサイクルは、供給工程と、少なくとも１回の減圧工程と、パージ工程と、供給工程再導入用として吸着剤材料を準備する最終的な再加圧工程とを含む。汚染物質の収着は、一般的には、汚染物質に対する親和力を有する多孔性の固体、例えば、通常、活性炭、アルミナ、シリカまたはシリカ−アルミナのような固体である収着剤の表面への物理的な収着によって行われる。ゼオライトは、その細孔寸法が制御され、予測可能であるという理由から特定の汚染物質に対する高度の選択性を呈することがあるので、多くの用途に用いられる頻度が高い。一般的には、収着剤との化学反応は、収着剤に化学的に結合されるに至った化学種の脱着の実現が困難になるという点から好ましくないとされるが、サイクルの脱着工程の間に、収着された材料を、例えば減圧と組み合わせて高温を用いることによって効率的に脱着させることができれば、化学収着も決して排除されるべきではない。圧力スイング吸着処理法については非特許文献１に一層完全に記述されている。
【００３０】
従来型ＰＳＡ法は、さまざまな理由から重大な固有の短所を有している。例えば、従来型ＰＳＡ装置は、建設および運転のコストが高く、ＲＣＰＳＡに比べて、水素含有ガスストリームから回収する必要がある同じ量の水素に対して装置が著しく大型になる。また、従来型の圧力スイング吸着装置のサイクル時間は、一般的には、１分を超える、通常は２〜４分を超えるであろう。これは、従来型ＰＳＡに用いられる大型の吸着床と、装置の機器の形態と、用いられるバルブ装置とを通過して、成分が拡散し得るに必要な時間に限界があるためである。これに対して、本発明においては、合計サイクル時間が１分未満の急速サイクル圧力スイング吸着を利用する。ＲＣＰＳＡの合計サイクル時間は、３０秒未満、好ましくは１５秒未満、更に好ましくは１０秒未満、更には５秒未満、更に一層好ましくは２秒未満にすることができる。これに加えて、急速サイクル圧力スイング吸着装置においては、モノリスの如き構造化された材料のような、但しこれには限定されない、実質的に異なる収着剤の使用が可能である。
【００３１】
従来型ＰＳＡまたはＲＣＰＳＡのいずれにしても、吸着過程の総括的な吸着速度は、ガス相における物質移動速度定数（τｇ）と、固体相における物質移動速度定数（τｓ）とによって規定される。材料の材料物質移動速度は吸着剤、被吸着化合物、圧力および温度に依存している。ガス相における物質移動速度定数は、次式、即ち、
τｇ＝Ｄｇ／Ｒｇ２  （単位：ｃｍ２／ｓｅｃ）    （１）
として定義される。式中、Ｄｇはガス相における拡散係数であり、Ｒｇはガス媒体の特性寸法である。この場合、ガス相におけるガス拡散、即ちＤｇは、当分野ではよく知られている（即ち従来の値を使用できる）。ガス媒体の特性寸法のＲｇは、構造化された吸着剤材料の２つの層間の流路の幅として定義される。
【００３２】
材料の固体相における物質移動速度定数は、次式、即ち、
τｓ＝Ｄｓ／Ｒｓ２    （単位：ｃｍ２／ｓｅｃ）    （２）
として定義される。式中、Ｄｓは固体相における拡散係数であり、Ｒｓは固体媒体の特性寸法である。この場合、固体相におけるガス拡散係数、即ちＤｓは、当分野ではよく知られている（即ち従来の値を使用できる）。固体媒体の特性寸法のＲｓは、吸着剤層の幅として定義される。
【００３３】
参照により援用される非特許文献２は、モノリスまたは構造化された吸着剤を通過する流れに対しては、流路の幅が、ガス媒体に対する良い特性寸法Ｒｇであることを明らかにしている。モロー（Ｍｏｒｅａｕ）らへの特許文献３も、これらの移動速度および与えられた吸着剤に対する関連係数の計算に関する詳細と、従来型ＰＳＡに用いられる試験標準の構成とを述べている。この特許文献３の内容はこの参照によって本出願に援用される。これらの物質移動速度定数の計算は当業者にはよく知られているところであり、当業者は、標準的な試験データからこれらの計算を導くことも可能であろう。
【００３４】
従来型ＰＳＡは、粒子状吸着剤の吸着剤床を用いることに依拠している。更に、構造上の制約から、従来型ＰＳＡは、通常、循環使用される２つ以上の別個の吸着剤床から構成される。その結果、処理されるプロセス流れにおける中断またはサージ現象を抑えるために、いかなる時点においても、少なくとも１つ以上の吸着剤床が、完全に或いは少なくとも部分的にサイクルの供給工程の状態に置かれる。しかし、従来型ＰＳＡの機器が相対的に大型であるので、吸着剤材料の粒子径は約１ｍｍ以上の粒子径に一般的に制限される。そうしなければ、過度の圧力降下、サイクル時間の増大、脱着の制限、および供給材料のチャネリングに見舞われるであろう。
【００３５】
１つの実施態様においては、ＲＣＰＳＡは、回転式収着器モジュールを通してガスの流れを導くために回転式バルブ開閉システムを用いる。この回転式収着器モジュールは、複数個の個別の吸着剤床区画室または「チューブ」を含んでおり、その各区画室またはチューブは、回転モジュールが操作サイクルを進行するにつれて、順次連続的に収着工程と脱着工程との間を循環する。回転式収着器モジュールは、通常、この回転式収着器モジュールの両端部における２枚のシールプレート間に保持される複数個のチューブから構成される。この場合、このシールプレートは、別個のマニホルドから構成されるステータと接触しており、このステータにおいて、流入ガスがＲＣＰＳＡチューブに導かれ、処理された精製生成ガスおよびＲＣＰＳＡチューブを出るテールガスが、回転式収着器モジュールから導出される。シールプレートおよびマニホルドを適切に配置することによって、いかなる時点においても、いくつかの個々の区画室またはチューブが全サイクルの特有の工程を通過することができる。従来型ＰＳＡとは対照的に、ＲＣＰＳＡの収着／脱着サイクルに必要な流量および圧力の変動は、１サイクル当たり数秒程度の複数の個別の増分として変化する。これは、圧縮機械およびバルブ開閉機構に掛かる圧力および流量のパルスを平準化する。この形式の場合、ＲＣＰＳＡモジュールは、回転する収着モジュールが辿る円形の経路の回りに角度間隔をもって配置されるバルブ開閉要素を含む。これによって、全ＲＣＰＳＡサイクルにおいて圧力／流れ方向を漸増させる工程の１つを実現するために、各区画室が、適切な方向および圧力のガス流れの通路に順次導かれる。ＲＣＰＳＡ技術の１つの重要な利点は吸着剤材料のきわめて効率的な使用である。ＲＣＰＳＡ技術に必要とされる吸着剤量は、同じ分離の量および質を達成するために従来型ＰＳＡ技術に必要とされる量の１部分に過ぎない。その結果、ＲＣＰＳＡに必要な設置面積、投資額および活性吸着剤の量は、等量のガスを処理する従来型ＰＳＡ装置の場合よりも大幅に低くなる。
【００３６】
別の実施態様においては、ＲＣＰＳＡ床の単位厚さ当たりの圧力降下、必要な吸着活性度および機械的な制約（ＲＣＰＳＡにおける回転床の遠心加速度に基づく）によって、従来型ＰＳＡの多くの吸着剤床材料、特に、緩やかにペレット化された形態、粒子形態、ビード形態、或いは押出し材形態の吸着剤の使用が妨げられる。好ましい実施態様においては、吸着剤材料は、ＲＣＰＳＡの回転装置に用いるために、担体となる基礎構造材料に固定される。例えば、回転ＲＣＰＳＡ装置の１つの実施態様は、構造化された補強材料に結合された吸着剤材料を含む吸着剤シートの形にすることができる。吸着剤材料を補強材料に付着させるために適切な結合剤を用いてもよい。補強材料の非限定的な例として、モノリス、鉱物性繊維の基材（ガラス繊維基材のような）、金属ワイヤの基材（ワイヤメッシュスクリーンのような）、或いはアノード処理できる金属箔（アルミニウム箔のような）がある。ガラス繊維基材の例には、織物のガラス繊維スクリム、および不織形態のガラス繊維スクリムが含まれる。吸着剤シートは、結合剤の成分を含むゼオライト結晶のような適切な吸着剤成分のスラリを、補強材料、つまり不織ガラス繊維スクリム、金属の織物、およびエキスパンドアルミニウム箔の上に被覆することによって作ることができる。特別な実施態様においては、吸着剤のシートまたは材料をセラミック担体の上に被覆する。
【００３７】
ＲＣＰＳＡ装置における吸収器は、通常、１つ以上の吸着剤材料から形成される吸着剤の固体相と、分離処理されるガスが吸収器の入り側から出側に流れる透過性のガス相とを含む。この場合、ストリームから除去したい成分の大部分が吸着剤の固体相の表面上に吸着される。このガス相は「循環ガス相」と呼称してもよいが、より簡単に「ガス相」と言う。固体相は網状組織の細孔を含み、その平均寸法は通常約０．０２μｍと２０μｍとの間にある。「マイクロポア」と呼ばれる更に小さい網状組織の細孔もある。これは、例えばマイクロポア状の炭素吸着剤またはゼオライトにおいて出現する。この固体相は、非吸着剤の担体の上に沈積させることができる。この担体の主要な機能は、活性吸着剤の材料に機械的な強度および／または熱伝導機能を付与すること、或いは、熱を貯留することである。吸着現象は２つの主要な工程を含む。即ち、被吸着物質が循環ガス相から固体相の表面上に移動する工程と、それに続いて被吸着物質が、その表面から固体相の容積に、つまり吸着部位に移動する工程とである。
【００３８】
別の実施態様においては、ＲＣＰＳＡが、ＲＣＰＳＡ装置に用いられるチューブに組み込まれる構造化された吸着剤を利用する。構造化された吸着剤においては、構造化された吸着剤シートが形成する流路を通ってガスが流れるので、予期しないほど高い物質移動速度が実現される。このことは、従来型ＰＳＡに用いられるような伝統方式の充填固定床配置に比べて、物質移動における大幅な改善を提供する。本発明におけるガス相の物質移動速度（τｇ）と固体相の物質移動速度（τｓ）との比は、１０より大きく、好ましくは２５より大きく、更に好ましくは５０より大きい。このように異常に高い物質移動速度比によって、ＲＣＰＳＡが、従来型ＰＳＡの機器のサイズ、吸着剤の容積およびコストの１部分のみを用いて、高い回収率で高純度の水素ストリームを生成することが可能になる。
【００３９】
構造化された吸着剤の実施態様は、また、従来型ＰＳＡよりも、吸着剤を通過する著しく大きな圧力降下を、粒子床技術に関連する有害な影響なしに実現する結果をもたらす。吸着剤床は、吸着剤床の単位厚さ当たりの圧力降下が、吸着剤床厚さ１フィート当たり５インチ水頭より大きく、更に好ましくは１０ｉｎ．Ｈ２Ｏ／ｆｔより大きく、更に一層好ましくは２０ｉｎ．Ｈ２Ｏ／ｆｔより大きくなるように設計できる。これは、吸着剤床の単位厚さ当たりの圧力降下が、使用吸着剤に応じて一般的に５ｉｎ．Ｈ２Ｏ／ｆｔ以下に制限される従来型ＰＳＡと対照的である。大抵の従来型ＰＳＡ装置は、大きな吸着剤床と、長いサイクル時間と、従来型ＰＳＡ装置の粒子状吸着剤とに関連する前記の問題点を最小化するために、約１ｉｎ．Ｈ２Ｏ／ｆｔ以下の圧力降下で設計されている。従来型ＰＳＡの吸着剤床は、吸着剤床流動化のリスクがあるために、更に高い圧力降下を担うことは不可能である。吸着剤床の流動化が生起すると、過度の摩耗損失と、付随する機器問題および／または失われた吸着剤材料の補充または置換の必要性による装置の早すぎる停止という結果に至る。このように顕著に高い吸着剤床の単位厚さ当たりの圧力降下によって、ＲＣＰＳＡ吸着剤床は、従来型ＰＳＡ装置に用いられる吸着剤床よりも、大幅に小型化し、短縮され、かつ効率的になる。
【００４０】
１つの実施態様においては、高い単位厚さ当たりの圧力降下によって、構造化された吸着剤床を横切る高い蒸気速度が実現される。この結果、プロセス流体と吸着剤材料との間の単位時間における物質接触率が、従来型ＰＳＡが達成し得るものよりも大きくなり、これによって、吸着剤床の厚さを短縮でき、ガス相の物質移動速度（τｇ）が高まり、水素の回収率が改善される。このように吸着剤床の厚さが大幅に短縮されることによって、本発明のＲＣＰＳＡ適用の場合の全圧力降下を、約０．５〜５０ｐｓｉｇ、好ましくは３０ｐｓｉｇ未満という供給サイクルの間の全吸着剤床差圧に維持することができる。これは、活性吸着剤床の厚さを、通常は５フィート厚さ未満、好ましくは２フィート厚さ未満、更には１フィート厚さ未満の短さにまで最小化することに並行して実現される。
【００４１】
ＲＣＰＳＡプロセスにおいて用いられる絶対的な圧力レベルは重要ではない。但しこれは、実際には、吸着工程と脱着工程との間の圧力差が、吸着剤に対する被吸着物質フラクションの負荷における変化を惹起するのに十分であり、それによって、ＲＣＰＳＡ装置で処理されるストリーム成分の分離に有効なデルタ負荷が提供されるという条件がある場合である。一般的な絶対操作圧力のレベルは約５０〜２５００ｐｓｉａの範囲である。しかし、供給、減圧、パージおよび再加圧の各段階において用いられる実際の圧力は多くの因子に大きく依存していることに留意するべきである。この因子には、分離処理されるべき全体ストリームの実際の運転圧力および温度と、ストリームの組成と、ＲＣＰＳＡ生成ストリームの所定の回収率および純度とが含まれるが、これに限定されるわけではない。ＲＣＰＳＡプロセスは、いかなる絶対圧力にも特定的に限定されることはないが、そのサイズが小型であるために、より高い運転圧力において従来型ＰＳＡよりも経済性が増大する。特許文献４、特許文献５、特許文献６、特許文献７および特許文献８がＲＣＰＳＡ技術の種々の態様を開示しているが、これらの内容は、この参照によって本出願に援用される。
【００４２】
１つの実施態様および実施例においては、急速サイクル圧力スイングシステムが、原料ガスを生成ガス（この場合水素リッチなストリーム）とテール（排気）ガスとに分離するための合計サイクル時間ｔＴＯＴを有する。この方法は、一般的に、Ｆ％の水素純度を有する原料ガスをテールガスを選択的に吸着する吸着剤床に導いて水素生成ガスを吸着剤床から送り出す、時間ｔＦの工程を含む。ここで、Ｆは、原料ガスにおける弱吸着可能成分（水素）の百分率であり、水素生成ガスはＰ％の純度とＲ％の回収率とを有する。回収率Ｒ％は、生成物中に保留された水素の量と、原料中の利用可能な水素の量との比である。続いて、吸着剤床は、時間ｔＣＯの間、並行流で減圧され、その後、時間ｔＣＮの間、向流で減圧され、被脱着材料（テールガスまたは排気ガス）は１ｐｓｉｇ以上の圧力で吸着剤床から放出される。更に、吸着剤床は、時間ｔＰの間、通常は水素生成ガスの一部でパージされ、引き続いて、時間ｔＲＰの間、通常は水素生成ガスまたは原料ガスの一部で再加圧される。サイクル時間ｔＴＯＴは個別のサイクル時間の合計に等しく、即ち、
ｔＴＯＴ＝ｔＦ＋ｔＣＯ＋ｔＣＮ＋ｔＰ＋ｔＲＰ    （３）
である。
【００４３】
この実施態様は、生成物純度対原料純度比Ｐ％／Ｆ％＞１．１の場合、回収率Ｒ％＞８０％、或いは、生成物純度対原料純度比０＜Ｐ％／Ｆ％＜１．１の場合、回収率Ｒ％＞９０％のいずれかとなるようなＲＣＰＳＡプロセスを包含するが、これに限定されるわけではない。この高い回収率および純度範囲を支持する結果は、以下の実施例４〜１０に見ることができる。他の実施態様は、水素回収率が８０％より相当に低いプロセスにおけるＲＣＰＳＡの適用を含むであろう。ＲＣＰＳＡの実施態様は、何らかの特定の回収率または純度の限界値を超えるものに限定されるわけではなく、特別な用途において、所要の、或いは経済的に正当化し得るような低い回収率および／または純度においても適用可能である。
【００４４】
上記の式（３）の工程ｔＣＯ、ｔＣＮまたはｔＰを、一括して、或いは任意の個々の組み合わせにおいて省略できることも本発明の範囲内であること注記しておかなければならない。しかし、上記の式（３）の全工程が実行されること、或いは、ｔＣＯまたはｔＣＮのいずれかのみが全サイクルから省略されることが望ましい。しかし、水素の純度および回収率の強化を支援するために、ＲＣＰＳＡのサイクルの範囲内に付加的な工程を付け加えることも可能である。このような強化は、吸着剤の僅かな一部しか必要なく、しかも従来型ＰＳＡを適用する場合に用いられる多数の定置バルブが取り除かれるという理由から、ＲＣＰＳＡにおいて実際に実現することができた。
【００４５】
１つの実施態様においては、テールガスを、テールガス圧縮装置を具備しない他の装置に供給し得るような十分高い圧力で排出することも好ましい。更に好ましくはテールガスの圧力を６０ｐｓｉｇ以上とする。最も好ましい実施態様においては、テールガス圧力は８０ｐｓｉｇ以上である。圧力が高いと、テールガスを燃料ヘッダーに導くことができる。
【００４６】
本発明を実行すると、次のような利点が得られる。
（ｉ）メークアップガスとして利用し得る水素含有ストリーム、または、適正なメークアップガスにするにはより高純度に精製しなければならないストリームの純度の増大。
（ｉｉ）水素含有再循環ガスのストリームの純度の増大。これは、水素化処理リアクターにおける全体的な水素処理ガスの純度の増大をもたらし、水素化処理条件のより厳格化または付加的な生成物処理を可能にする。
（ｉｉｉ）水素処理パージガスからＨ２回収するための利用。これは、かなりの濃度のＨ２Ｓが存在する場合（ガス洗浄前）またはガス洗浄後（通常＜１００ｖｐｐｍＨ２Ｓ）のいずれにおいても可能である。
【００４７】
水素処理法においては、Ｈ２純度の増大は水素処理リアクターにおけるＨ２分圧の上昇を意味する。これは、反応の動力学を高めると共に触媒失活の速度を低減する。高いＨ２分圧の利点はさまざまな形で活用できるが、それには次のようなものがある。
低いリアクター温度における運転。これは、エネルギーコストを低下させ、触媒の失活を低減し、触媒寿命を延長する。
原料供給流量の増大。
よりサワーな（高硫黄）原料油の処理。
より高濃度の分解原料油の処理。
特に処理終期近くの生成物の色調の改善。
既存のコンプレッサーおよび／または処理ガス回路の処理容量障害排除（一定の全流量におけるＨ２ｓｃｆの増大または低全流量における同一Ｈ２ｓｃｆ）。
当業者には明白であるようなその他の手段。
【００４８】
Ｈ２回収率の増大も重要な潜在的利点を提供する。そのいくつかは次のとおりである。
（ｉ）製油所における購入Ｈ２、製造Ｈ２または他のＨ２源に対する要求量の低減。
（ｉｉ）水素回収量増大の結果としての、一定（既存）のメークアップガス要求量における水素処理原料供給流量の増大。
（ｉｉｉ）へテロ原子除去効率を増大するための水素処理における水素純度の改善。
（ｉｖ）製油所の燃料ガスからのＨ２の一部の除去。水素は、そのＢＴＵ値が低いためにいくつかの炉のバーナにおける燃焼容量の限界および燃焼の困難さをもたらす可能性があり、燃料ガスに対して有害である。
（ｖ）当業者には明白であるような他の利点。
【００４９】
以下の実施例は、あくまで例示目的のために提示するものであり、決して限定的なものとして引用されるべきではない。
【実施例】
【００５０】
実施例１〜３は、急速サイクル圧力スイング吸着（ＲＣＰＳＡ）を用いて水素化処理装置の再循環ガスストリームの一部を処理することによって得られる水素純度の改善の利点を示す。急速サイクル圧力スイング吸着装置を使用しない「基本ケース」の水素化処理運転を用いて、続く以下のケースによって、水素化処理プロセスと連結したＲＣＰＳＡの利点のいくつかの例を示す。実施例１〜３においては、処理ガス（再循環ガス）流量＝３０．０Ｍｓｃｆ／Ｄ、ＲＣＰＳＡ原料供給流量＝６．０Ｍｓｃｆ／Ｄ、Ｈ２回収率＝９５％、およびＲＣＰＳＡのＨ２生成物純度＝９５％である。
【００５１】
実施例１
この実施例においては、ＲＣＰＳＡを用いて、６．０Ｍｓｃｆ／Ｄの再循環ガス（全再循環ストリームの容積流量の約１／５）を処理する。ＲＣＰＳＡの性能は９５％のＨ２回収率と想定され、生成物におけるＨ２純度は９５％と想定される。ＲＣＰＳＡの排気ストリームは、再循環ガスループから軽質留分の不純物を除去しており、従来型の水素化処理パージストリームは、０．３Ｍｓｃｆ／ＤのＨ２に低下した。この結果を表１のケース０１として示す。同じ原料供給流量および硫黄除去程度の基本操作と比べて、（ａ）リアクターの入り側における処理ガスの純度が８０モル％Ｈ２から９１．５モル％Ｈ２に増大し、（ｂ）必要なメークアップガス流量が１２．０７Ｍｓｃｆ／Ｄから１１．２８Ｍｓｃｆ／Ｄに低下し、（ｃ）システムからパージされた（燃料ガスに失われた）Ｈ２が１．０６Ｍｓｃｆ／Ｄから０．３Ｍｓｃｆ／Ｄに減少した。
【００５２】
実施例２
この実施例においては、再び、ＲＣＰＳＡを用いて、６．０Ｍｓｃｆ／Ｄの再循環ガス（全再循環ストリームの容積流量の約１／５）を、９５％のＨ２回収率および生成物におけるＨ２純度９５％として処理する。この結果を表１のケース０２として示す。このケースにおいては、装置の原料供給流量を、当初の１３．１Ｍｓｃｆ／Ｄのメークアップガス流量が必要になる値まで増大させた。Ｈ２純度の増大の結果、同じＨ２メークアップガス流量において、（ａ）一定の硫黄除去仕様において、原料流量が３０，０００Ｂ／Ｄから３２，１５０Ｂ／Ｄに増大し、（ｂ）処理ガス純度が９１．４モル％Ｈ２に改善され、（ｃ）システムからパージされた（燃料ガスに失われた）Ｈ２が１．０６Ｍｓｃｆ／Ｄから０．３Ｍｓｃｆ／Ｄに減少した。
【００５３】
実施例３
この実施例においては、当初の３０ｋＢ／Ｄの原料供給流量と、１２．０７Ｍｓｃｆ／Ｄのメークアップガス流量とが維持される。この結果を表１のケース０３として示す。この場合も、ＲＣＰＳＡを用いて、６．０Ｍｓｃｆ／Ｄの再循環ガス（全再循環ストリームの容積流量の約１／５）を、９５％のＨ２回収率および生成物におけるＨ２純度９５％として処理する。この場合、再循環ガス流れの一部に対するＲＣＰＳＡ適用運転の結果としてのＨ２純度の増大によって、（ａ）基本ケースと同じ生成物の硫黄仕様を維持しながら、原料中の硫黄を０．１８％だけ高めることが可能になり、（ｂ）全体水素消費量は、メークアップガス要求量の対応する増加なしに、＋２６ｓｃｆ／Ｂの対応量だけ増加し、（ｃ）システムからパージされた（燃料ガスに失われた）Ｈ２は１．０６Ｍｓｃｆ／Ｄから０．３Ｍｓｃｆ／Ｄに減少した。
【００５４】
更に、実施例１および２は、触媒交換の間の処理期間が約１５〜４０％長いという結果にもなっている。この装置の「基本の」現在の運転と、ケース０１〜０３との種々の運転条件および計画処理期間を以下の表１に要約する。
【００５５】
【表１】
2008528732.tif 000003
【００５６】
実施例４
この実施例においては、製油所ストリームが４８０ｐｓｉｇであり、テールガスは６５ｐｓｉｇである。それによって圧力スイングは６．１８となる。原料組成および圧力は、水素処理装置または水素化処理装置のような製油所の処理装置に典型的なものである。この実施例においては、代表的な炭化水素を、その炭素数、即ちＣ１＝メタン、Ｃ２＝エタン等によって記述する。ＲＣＰＳＡは、流量の全域にわたって、＞９９％の純度および＞８１％の回収率で水素を生成する能力がある。表２ａおよび表２ｂが、ＲＣＰＳＡのコンピュータシミュレーションの結果と、この実施例における種々の成分の入り側および出側の百分率とを示す。また、表２ａおよび表２ｂは、４８０ｐｓｉｇの６ＭＭＳＣＦＤのストリームおよび６５ｐｓｉｇのテールガスの場合に回収率が８９．７％から９１．７％に増大すると、水素純度がどのように低下するかをも示している。
【００５７】
表２ａおよび２ｂ
Ｈ２精製におけるＲＣＰＳＡ（６７ｆｔ３）の入り側および出側の組成（モル％）。原料は４８０ｐｓｉｇ、１２２°Ｆ、テールガスは６５ｐｓｉｇであり、
原料の供給流量は約６ＭＭＳＣＦＤである。
【００５８】
【表２】
2008528732.tif 000004
【００５９】
【表３】
2008528732.tif 000005
【００６０】
本発明において記述するＲＣＰＳＡは、異なる工程から構成されるサイクルを循環する。工程１は、その間に生成物が生成される原料の供給であり、工程２は並行流の減圧、工程３は向流の減圧、工程４はパージ（通常は向流）、そして工程５は生成物による再加圧である。ここに述べるＲＣＰＳＡにおいては、いかなる瞬間においても、吸着剤床の全数の半分は原料供給工程にある。この実施例の場合、ｔＴＯＴ＝２秒であり、そのｔＴＯＴにおいて原料供給時間ｔＦが全サイクルの半分を占めている。
【００６１】
実施例５
この実施例においては、条件は実施例４の場合と同じである。表３ａは、並行流および向流の両方の工程を利用して＞９９％の水素純度を達成する条件を示す。表３ｂは、向流の減圧工程を省略できるが、それでも９９％の水素純度を維持し得ることを示す。実際は、これは、パージサイクルの時間ｔＰを、向流の減圧工程ｔＣＮから取り除かれた時間だけ延長することによって、水素の回収率を８８％のレベルに高めることができることを示している。
【００６２】
表３ａおよび３ｂ
ＲＣＰＳＡ（６７ｆｔ３）によるＨ２純度および回収率に対する工程時間の影響。表１と同条件。原料は４８０ｐｓｉｇ、１２２°Ｆ、テールガスは６５ｐｓｉｇであり、原料の供給流量は約６ＭＭＳＣＦＤである。
【００６３】
【表４】
2008528732.tif 000006
【００６４】
【表５】
2008528732.tif 000007
【００６５】
実施例６
この実施例は、表４の原料の欄に示す（例えば原料組成は７４％Ｈ２を含む）ように、代表的な成分を同様に含む１０ＭＭＳＣＦＤの製油所ストリームを示す。このストリームは４８０ｐｓｉｇであり、ＲＣＰＳＡのテールガスは６５ｐｓｉｇであるので、絶対圧力スイングは６．１８となる。再度確認すると、本発明のＲＣＰＳＡは、これらの原料組成から、＞９９％の純度および＞８５％の回収率で水素を生成する能力を有する。表４ａおよび表４ｂがこの実施例の結果を示す。
【００６６】
表４ａおよび４ｂ
Ｈ２精製におけるＲＣＰＳＡ（５３ｆｔ３）の入り側および出側の組成（モル％）。原料は４８０ｐｓｉｇ、１０１°Ｆ、テールガスは６５ｐｓｉｇであり、原料の供給流量は約１０ＭＭＳＣＦＤである。
【００６７】
【表６】
2008528732.tif 000008
【００６８】
【表７】
2008528732.tif 000009
【００６９】
上記表４ａおよび表４ｂに示す両ケースにおいて、テールガス圧力は６５ｐｓｉｇと高いけれども、本発明は、パージ工程ｔＰを十分に延長すれば高い純度（９９％）を得ることができることを示している。
【００７０】
表３ａ、３ｂおよび４ａは、６ＭＭＳＣＦＤおよび１０ＭＭＳＣＦＤの両方の流量条件について、非常に高い約９９％という水素純度と＞８５％の回収率とをＲＣＰＳＡによって達成し得ることを示す。両ケースにおいてテールガスの圧力は６５ｐｓｉｇである。生成される排気が高圧であるにも拘らず、ＲＣＰＳＡによって達成される生成物のこのように高い純度および回収率はこれまでに発見されておらず、本発明の重要な特徴である。
【００７１】
表４ｃは、表４ａおよび４ｂで述べたのと同じ製油所のストリームに対して高い水素純度（＞９９％）を高い回収率で供給するＲＣＰＳＡ（容積＝４９立方ｆｔ）に関する結果を示す。表４ａに比べて、表４ｃは、同様の純度および回収率が、原料供給サイクルｔＦおよびパージサイクルｔＰを同時に短縮することによって達成できることを示す。
【００７２】
【表８】
2008528732.tif 000010
【００７３】
実施例７
この実施例においては、表５が、本発明に従って運転されるＲＣＰＳＡの性能を更に示す。これを以下に述べる。この実施例においては、原料は典型的な製油所ストリームであり、その圧力は３００ｐｓｉｇである。本発明のＲＣＰＳＡは、全テールガスが４０ｐｓｉｇで排気される時に、９９％の高純度水素生成物を８３．６％の回収率で生成できる。この場合、テールガスは、更に圧縮する必要なしに、フラッシュドラムまたは他のセパレータまたは他の下流側の製油所機器に送り込むことができる。本発明のもう１つの重要な態様は、ＲＣＰＳＡがＣＯをも除去して＜２ｖｐｐｍにする点である。これは、生成物の水素リッチなストリームを使用する製油所装置にとってきわめて望ましいところである。ＣＯ濃度が低ければ、下流側装置の触媒が長期間活性を損なうことなく機能することが保証される。従来型ＰＳＡは、このＣＯ仕様に適合できず、同時にまた、典型的な燃料ヘッダー圧力またはかかるＲＣＰＳＡ排気を処理する他の機器の高圧力のような高圧力において、全テールガスを排気するという条件にも適合することができない。全テールガスを４０ｐｓｉｇ以上で利用し得るので、ＲＣＰＳＡを製油所機器と組み合わせる場合、追加的な圧縮は全く必要ない。
【００７４】
【表９】
2008528732.tif 000011
【００７５】
実施例８
表６ａおよび６ｂは、本発明に従って運転されるＲＣＰＳＡの性能を比較しており、これを以下に述べる。精製されるストリームは、原料中のＨ２がかなり低く（５１モル％）、典型的な製油所／石油化学のストリームである。両ケース（表６ａおよび６ｂに対応）共、並行流工程の後に向流の減圧工程が設けられている。表６ａは、本発明によれば、全テールガスを６５ｐｓｉｇ以上で放出しても高いＨ２回収率（８１％）が可能であることを示す。これと対照的に、いくらかのテールガスが５ｐｓｉｇのような低圧で利用可能なＲＣＰＳＡは、Ｈ２回収率が５６％に低下する程、向流減圧において水素を失う。付け加えると、表６ａのストリームの高圧は、テールガスの圧縮が全く必要ないことを示す。
【００７６】
表６ａおよび６ｂ
回収率に対するテールガス圧力の影響。Ｈ２濃度（５１．３モル％）の原料に適用されるＲＣＰＳＡの例。Ｈ２精製におけるＲＣＰＳＡ（３１ｆｔ３）の入り側および出側の組成（モル％）。原料は２７３ｐｓｉｇ、１２２°Ｆ、原料の供給流量は約５．１ＭＭＳＣＦＤである。
【００７７】
【表１０】
2008528732.tif 000012
【００７８】
【表１１】
2008528732.tif 000013
【００７９】
実施例９
この実施例においては、表７ａおよび７ｂが、本発明に従って運転されるＲＣＰＳＡの性能を比較しており、これを以下に述べる。これらのケースにおいては、原料の圧力は８００ｐｓｉｇであり、テールガスは、６５ｐｓｉｇまたは１００ｐｓｉｇのいずれかで排気される。組成は、かかる製油所の適用例において存在する可能性があるＨ２Ｓのような典型的不純物を反映している。見られるとおり、両ケースにおいて、高純度＞９９％と共に高い回収率（＞８０％）が確認される。この両ケースにおいては、並行流の減圧のみが用いられ、この工程の間の流出物は、サイクルの他の吸着剤床に送られる。テールガスは向流のパージ工程の間にのみ流出する。表７ｃは、いくらかのテールガスが、並行流減圧に続く向流減圧工程においても排気される場合に運転されるＲＣＰＳＡのケースを示す。並行流減圧の流出物は、十分な純度および圧力を有するので、本発明の一部であるＲＣＰＳＡの槽構成内の他の吸着剤床の１つに戻すことができる。テールガス、即ち排気ガスは、向流減圧および向流のパージ工程の間に流出する。
【００８０】
すべてのケースにおいて、テールガスの全量を、製油所の他の高圧プロセスに統合させ得る高圧力で利用することができる。これは、一方で高純度のガスを高い回収率で生成しながら、圧縮の必要性をいかなる形においても排除する。本発明の広範な特許請求の範囲によれば、これらのケースは、単なる例示として見做されるべきであり、また、製油所、石油化学或いはプロセス処理の箇所、或いは分離される特定分子の特性のいずれにも限定されないものと見做されなければならない。
【００８１】
表７ａ、７ｂおよび７ｃ
高圧の原料に適用されるＲＣＰＳＡの例。Ｈ２精製におけるＲＣＰＳＡ（１８ｆｔ３）の入り側および出側の組成（モル％）。原料は８００ｐｓｉｇ、１２２°Ｆ、原料の供給流量は約１０．１ＭＭＳＣＦＤである。
【００８２】
【表１２】
2008528732.tif 000014
【００８３】
【表１３】
2008528732.tif 000015
【００８４】
【表１４】
2008528732.tif 000016
【００８５】
実施例１０
表８ａ、８ｂおよび８ｃは、本発明に従って運転されるＲＣＰＳＡの性能を比較しており、これを以下に述べる。精製されるストリームは、原料中のＨ２が比較的高く（８５モル％）、典型的な製油所／石油化学のストリームである。これらの実施例においては、生成物における純度の増加が１０％未満（即ちＰ／Ｆ＜１．１）である。この制約の下で、本発明の方法は、テールガス圧縮の必要性なしに、＞９０％の回収率で水素を生成できる。
【００８６】
表８ａ、８ｂおよび８ｃ
Ｈ２濃度（８５モル％）の原料に適用されるＲＣＰＳＡの例。ＲＣＰＳＡ（６．１ｆｔ３）の入り側および出側の組成（モル％）。原料は４８０ｐｓｉｇ、１３５°Ｆ、原料の供給流量は約６ＭＭＳＣＦＤである。
【００８７】
【表１５】
2008528732.tif 000017
【００８８】
【表１６】
2008528732.tif 000018
【００８９】
【表１７】
2008528732.tif 000019
【図面の簡単な説明】
【００９０】
【図１】本発明の１つの好ましい実施態様の簡略なフロー図であり、ＲＣＰＳＡが単段の水素化処理装置の水素含有再循環ガスのストリームにおいて適用される。
【図２】本発明の別の好ましい実施態様の簡略なフロー図であり、ＲＣＰＳＡが単段の水素化処理装置の水素含有メークアップガスのストリームにおいて適用される。
【図１】
2008528732.tif 000020
【図２】
2008528732.tif 000021
【国際調査報告】
2008528732.tif 000022
2008528732.tif 000023
2008528732.tif 000024